(57)【要約】【課題】本発明は、ディスプレイに画像を表示して会話する携帯端末に関し、画像を用いた会話時に２者通話や３者通話などのときに相手の画像、自者側の画像をそれぞれのディスプレイに表示し、画像を用いた会話をし易くすることを目的とする。【解決手段】本体の正面側に設けたメインディスプレイおよび背面側に着脱可能に設けた背面ディスプレイと、メインディスプレイに受信した相手側の画像あるいは自者側の画像を表示する手段、および背面ディスプレイを取外してメインディスプレイに隣接して同じ向きに装着されたときに自者側の画像あるいは相手側の画像を当該背面ディスプレイに表示する手段とを備える。【選択図】  図１
2004289402.tif 000002
【特許請求の範囲】
【請求項１】
ディスプレイに画像を表示して会話する携帯端末において、
本体の正面側に設けたメインディスプレイおよび背面側に着脱可能に設けた背面ディスプレイと、
前記メインディスプレイに受信した相手側の画像あるいは自者側の画像を表示する手段、および前記背面ディスプレイを取外してメインディスプレイに隣接して同じ向きに装着されたときに自者側の画像あるいは相手側の画像を当該背面ディスプレイに表示する手段とを備えたことを特徴とする携帯端末。
【請求項２】
ディスプレイに画像を表示して会話する携帯端末において、
本体の正面側に設けたメインディスプレイおよび背面側に着脱可能に設けた背面ディスプレイと、
前記メインディスプレイに受信した相手側の画像あるいは自者側の画像を表示する手段、および前記背面ディスプレイを取外して任意の位置に配置されたときに無線で自者側の画像あるいは相手側の画像を本体から送信して当該背面ディスプレイに表示する手段とを備えたことを特徴とする携帯端末。
【請求項３】
前記背面ディスプレイにカメラを取り付け、当該カメラで撮影した画像を相手側に送信することを特徴とする請求項１あるいは請求項２記載の携帯端末。
【請求項４】
前記背面ディスプレイに電池および本体との間の無線送受信部を設けたことを特徴とする請求項１から請求項３のいずれかに記載の携帯端末。
【請求項５】
前記背面ディスプレイにマイク端子およびイヤホン端子を設けて無線で本体との間で信号の送受信することを特徴とする請求項１から請求項４のいずれかに記載の携帯端末。
【発明の詳細な説明】
【０００１】
【発明の属する技術分野】
本発明は、ディスプレイに画像を表示して会話する携帯端末に関するものである。
【０００２】
【従来の技術】
従来、携帯端末でＴＶ電話をする場合、自者側では携帯端末のメインディスプレイに受信した相手の画像を表示し、自者側は自者の画像が見えないか、あるいはメインディスプレイを分割して相手の画像と自画像を表示したり、メインディスプレイに相手の画像あるいは自画像を交互に切換えて表示していた。
【０００３】
また、携帯端末に増設ディスプレイを取りつけて表示部分の面積を増大させる技術があり（特許文献１）、増設したディスプレイ部分に自画像を表示することも考えられる。
【０００４】
【特許文献１】
特開２００２−２０８９９９号の図３とその説明参照。
【０００５】
【発明が解決しようとする課題】
しかし、上述した前者の技術では、ＴＶ電話時に、携帯端末のメインディスプレイを２分割して１つに相手の画像、他の１つに自画像を表示したのでは、画質が悪いと共に小さくで相手を認識できなかったり、メインディスプレイに相手の画像と自画像を交互に切換えて表示したのでは見ずらいと共に使いかってが悪いという問題などがあった。
【０００６】
また、上述した後者の技術では、増設用の特別のディスプレイを用意する必要があると共に、１つのメインディスプレイの表示領域を拡大するのみで、相手画像と自画像を画面分割してそれぞれ表示する必要がありこれらの切換え操作が大変などの問題があった。
【０００７】
本発明は、これらの問題を解決するため、ＴＶ電話などの画像を用いた会話時に、携帯端末のメインディスプレイに相手の画像あるいは自画像を表示し、背面ディスプレイを取外してメインディスプレイに並べて取り付けて自画像あるいは相手の画像を表示したり、あるいは離して配置して自者側の他の通話者の画像を表示し、画像を用いた２者通話や３者通話などのときに相手の画像、自者側の画像をメインディスプレイ１１と背面ディスプレイ２１に表示し、画像を用いた会話をし易くすることを目的としている。
【０００８】
【課題を解決するための手段】
図１を参照して課題を解決するための手段を説明する。
【０００９】
図１において、携帯端末１は、無線で相手の携帯端末１と通信するものであって、ここでは、画像を用いた会話を行うものであり、メインディスプレイ１１、背面ディスプレイ２１、および制御部１７などから構成されるものである。
【００１０】
メインディスプレイ１１は、携帯端末１の正面に配置された画像を表示するものである。
【００１１】
背面ディスプレイ２１は、携帯端末１と着脱可能に設けたものであって、取外してメインディスプレイ１１と同じ向きに取りつけ可能にしたものであり、画像を表示するものであり、カメラ２９を取りつけたものである。
【００１２】
制御部１７は、携帯端末１の各種制御および画像表示などを行うものである。
次に、構成および動作を説明する。
【００１３】
携帯端末１を構成する制御部１７が正面側に設けたメインディスプレイ１１に受信した相手側の画像あるいは自者側の画像を表示すると共に、背面ディスプレイ２１を取外してメインディスプレイ１１に隣接して同じ向きに装着されたときに自者側の画像あるいは相手側の画像を当該背面ディスプレイ２１に表示するようにしている。
【００１４】
また、携帯端末１を構成する制御部１７がメインディスプレイ１１に受信した相手側の画像あるいは自者側の画像を表示すると共に、背面ディスプレイ２１を取外して任意の位置に配置されたときに無線で自者側の画像あるいは相手側の画像を送信して当該背面ディスプレイ２１に表示するようにしている。
【００１５】
これらの際に、背面ディスプレイ２１にカメラ２９を取り付け、当該カメラ２９で撮影した画像を相手側に送信するようにしている。
【００１６】
また、背面ディスプレイ２１に電池および携帯端末１との間の無線送受信部を設けるようにしている。
【００１７】
また、背面ディスプレイ２１にマイク端子およびイヤホン端子を設けて無線で携帯端末１との間で音声信号の送受信するようにしている。
【００１８】
従って、ＴＶ電話などの画像を用いた会話時に、携帯端末１のメインディスプレイ１１に相手の画像あるいは自画像を表示し、背面ディスプレイ２１を取外してメインディスプレイ１１に並べて取り付けて自画像あるいは相手の画像を表示したり、あるいは離して配置して自者側の他の通話者の画像を表示することにより、画像を用いた２者通話や３者通話などのときに相手の画像、自者側の画像をメインディスプレイ１１と背面ディスプレイ２１に表示し、画像を用いた会話をし易くすることが可能となる。
【００１９】
【発明の実施の形態】
次に、図１および図２を用いて本発明の実施の形態および動作を順次詳細に説明する。
【００２０】
図１は、本発明の外観図を示す。
図１の（ａ）は、携帯端末１の正面側の外観図を示す。
【００２１】
図１の（ａ）において、携帯端末１は、無線で相手の携帯端末１と通信するものであって、メインディスプレイ１１、送受信インタフェイス１３、カメラ１４、マイク１５、スピーカ１６、および制御部１７などから構成されるものである。
【００２２】
メインディスプレイ１１は、携帯端末１を用いてダイヤルしたときにその番号を表示したり、受信したときに相手の電話番号を表示したり、電子メールを受信したときにその内容を表示したり、電子メールを作成したりなどするためのディスプレイである。
【００２３】
送受信インタフェイス１３は、背面ディスプレイ２１を携帯端末１から取外したときにデータの送受信するインタフェイスである。
【００２４】
カメラ１４は、自画像を撮影したり、景色などを撮影したりするものである。マイク１６は、相手と通話するときに、発声した音声を電気信号に変換して相手側に送信するためのものである。
【００２５】
制御部１７は、キーボードの下側に配置したプリント板に装着されたＩＣなどから構成されるものであって、各種制御を行うものである。
【００２６】
図１の（ｂ）は、携帯端末１の背面側の外観図を示す。
図１の（ｂ）において、携帯端末１の背面側には、図示のように、背面ディスプレイ２１、電気インタフェイス接続部２３などが設けられている。
【００２７】
背面ディスプレイ２１は、通常は、携帯端末１を折りたたんだときに見ることができるディスプレイであって、時刻や着信があったときにその電話番号などを表示したりなどするためのものであり、ここでは、着脱可能に携帯端末１に取りつけられているものである。
【００２８】
電気インタフェイス接続部２３は、背面ディスプレイ２１を携帯端末１に取り付けたときに電源および各種信号線を接続するためのものである。
【００２９】
カメラ２９は、背面ディスプレイ２１に設けたものであって、当該背面ディスプレイ２１を観察する自者側会話者の画像などを撮影するものである。
【００３０】
図１の（ｃ）は、携帯端末１の背面側の背面ディスプレイ２１を取外した状態の外観図を示す。この状態では、図示のように、背面ディスプレイユニット２０は、内臓バッテリ２２で動作している。
【００３１】
図１の（ｄ）は、携帯端末１に背面ディスプレイ２１をメインディスプレイと同じ向きに隣接して接続した外観図を示す。この状態では、背面ディスプレイ２１は、携帯端末１と電源および信号線で接続されて動作し、ここでは、左側のメインディスプレイ１１に相手側の画像、あるいはカメラ１４で撮影した自画像を表示し、背面ディスプレイ２１に相手側の画像あるいはカメラ１４あるいはカメラ２９で撮影した自画像を表示する。例えば左側のメインディスプレイ１１に相手側の画像および右側の背面ディスプレイ２１に自画像を表示しつつ、相手と会話することが可能となる。
【００３２】
図１の（ｅ）は、携帯端末１と離れた位置に背面ディスプレイ２１を配置した状態の外観図を示す。この状態では、
・携帯端末１のメインディスプレイ１１に相手の画像あるいは自画像を表示（あるいは交互に切換えて表示）し、自者側通話者１（Ａ−１）が通話
・携帯端末１から離れた位置に配置した背面ディスプレイ２１に相手の画像あるいは自画像を表示（あるいは交互に切換えて表示）し、自者側通話者２（Ａ−２）が通話
するという、いわゆる３者通話が可能となる。この際、
・自者側通話者１はメインディスプレイ１１とカメラ１４で当該メインディスプレイ１１の上に相手の画像あるいは自者側通話者１の画像のいずれか、あるいは切換えて表示し、
・自者側通話者２は背面ディスプレイ２１とカメラ２９で当該背面ディスプレイ２１の上に相手の画像あるいは自者側通話者２の画像のいずれか、あるいは切換えて表示し、
相互に３者（通話相手、自者側通話者１、自者側通話者２の３者）が同時に通話（画像を用いた３者ＴＶ会話）することが可能となる。この際、携帯端末１の送受信インタフェイス１３と、背面ディスプレイ２１側の送受信インタフェイス２４とが無線で相互に通信することで３者通話を実現する。
【００３３】
次に、図１の構成の動作について、図２の説明図の順番に従い詳細に説明する。
【００３４】
図２は、本発明の説明図を示す。
図２において、Ｓ１は、画像表示する。これは、図１の（ａ）の状態で、メインディスプレイ１１に画像を表示する。
【００３５】
Ｓ２は、ＴＶ電話開始か判別する。ＹＥＳの場合には、Ｓ３に進む。ＮＯの場合には、Ｓ１１に進む。
【００３６】
Ｓ３は、Ｓ２のＹＥＳでＴＶ電話開始と判明したので、背面ディスプレイユニット２０（背面ディスプレイ２１）を取り外す。
【００３７】
Ｓ４は、メイン・背面の各ディスプレイ方向を揃え、装着する。これは、例えば既述した図１の（ｄ）に示すように、携帯端末１のメインディスプレイ１１に揃えて背面ディスプレイ２１を当該携帯端末１の装着部に挿入して固定する。
【００３８】
Ｓ５は、メインディスプレイ１１に受信映像、背面ディスプレイ２１に自者側映像を表示する。これにより、図１の（ｄ）のメインディスプレイ１１には相手側の画像を表示すると共に、背面ディスプレイ２１には自画像を表示する。
【００３９】
Ｓ６は、ＴＶ電話終了か判別する。ＹＥＳの場合には、Ｓ７で元に戻す（背面ディスプレイ２１を取り外して図１の（ｂ）の状態に装着する）。ＮＯの場合には、Ｓ５以降を繰り返す。
【００４０】
以上のＳ２のＹＥＳ，Ｓ３からＳ７によって、携帯端末１を用いてＴＶ電話する場合には、図１の（ａ）の携帯端末１の外観の状態から、図１の（ｄ）の携帯端末１の外観の状態のように、背面ディスプレイ２１を取外してメインディスプレイ１１に揃えて装着し、メインディスプレイ１１に相手の画像を表示し、背面ディスプレイ２１に自画像を表示し、これら画像を見ながら相手とＴＶ電話することが可能となる。
【００４１】
また、Ｓ１１は、自者側２人か判別する。これは、自者側が２人で、相手といわゆる３者ＴＶ会話するかを判別する。ＹＥＳの場合には、Ｓ１２に進む。ＮＯの場合には、他の処理に進む。
【００４２】
Ｓ１２は、Ｓ１１のＹＥＳで３者ＴＶ会話すると判明したので、背面ディスプレイユニット２０（背面ディスプレイ２１）を取り外す。
【００４３】
Ｓ１３は、２人に携帯端末本体、背面ディスプレイユニットをそれぞれ配置する。これは、例えば既述した図１の（ｅ）に示すように、自者側通話者１に携帯端末１のメインディスプレイ１１を見るようにし、自者側通話者２に背面ディスプレイ１１を見るように、当該背面ディスプレイ１１を携帯端末１から離れた位置に配置し無線で携帯端末１と通信する。
【００４４】
Ｓ１４は、本体・背面の両ディスプレイに受信映像を表示する。これは、図１の（ｅ）の左側のメインディスプレイ１１および右側の背面ディスプレイ２１に受信した画像をそれぞれ表示する。
【００４５】
Ｓ１５は、送信画像を選択する。ここでは、Ｓ１６からＳ１８のいずれかを自者側通話者１，２が選択して送信する。
【００４６】
Ｓ１６は、メインカメラの映像を送信する。これは、図１の（ｅ）の携帯端末１のカメラ１４で撮影した画像（自者側通話者１の画像）を相手側に送信する。
【００４７】
Ｓ１７は、サブカメラの映像を送信する。これは、図１の（ｅ）の背面ディスプレイ２１のカメラ２９で撮影した画像（自者側通話者２の画像）を相手側に送信する。
【００４８】
Ｓ１８は、メイン・サブカメラの画像を送信する。これは、Ｓ１６、Ｓ１７の両者の画像を相手側に送信する（交互あるいは画面分割して１つの画面にして送信する）。
【００４９】
Ｓ１９は、ＴＶ電話終了か判別する。ＹＥＳの場合には、Ｓ２１で元に戻す（背面ディスプレイ２１を図１の（ｂ）の状態に装着する）。ＮＯの場合には、Ｓ１５以降を繰り返す。
【００５０】
以上のＳ１１のＹＥＳ，Ｓ１２からＳ２１によって、携帯端末１のメインディスプレイ１１および背面ディスプレイ２１を離れた位置に配置し、それぞれに相手側の画像を表示、およびそれぞれのカメラ１４，２９で撮影した自者側通話者１，２のいずれか一方、あるいは両者の画像を相手側に送信しつつ、いわゆる３者ＴＶ会話を行うことが可能となる。
【００５１】
【発明の効果】
以上説明したように、本発明によれば、ＴＶ電話などの画像を用いた会話時に、携帯端末１のメインディスプレイ１１に相手の画像あるいは自画像を表示し、背面ディスプレイ２１を取外してメインディスプレイ１１に並べて取り付けて自画像あるいは相手の画像を表示したり、あるいは離して配置して自者側の他の通話者の画像を表示する構成を採用しているため、ＴＶ会話時の２者通話や３者通話などのときに相手の画像、自者側の画像をメインディスプレイ１１および背面ディスプレイ２１にそれぞれ同時並列に表示し、画像を用いた会話をし易くすることが可能となる。
【図面の簡単な説明】
【図１】本発明の外観図である。
【図２】本発明の説明図である。
【符号の説明】
１：携帯端末
１１：メインディスプレイ
１２：電気インタフェイス接続部
１３：送受信インタフェイス
１４：カメラ
１５：マイク
１６：スピーカ
１７：制御部
２１：背面ディスプレイ
２２：内臓バッテリ
２３：電気インタフェイス接続部
２４：送受信インタフェイス
２５：イヤホン端子
２６：マイク端子
２７：イヤホン
２８：マイク
２９：カメラ
【図１】
2004289402.tif 000003
【図２】
2004289402.tif 000004